(57)【要約】【課題】  芯紐に編紐を手編みする際、芯紐を前後方向へ複列に掛け渡した状態に保持して編紐を両手で手編みできるようにする草履手編み台であって、芯紐の垂れ下がりを防止して編紐の編み込みを負担なく容易にし、しかも編み込みを中断しても緩むことなく再開でき、さらに作業者の手や作業台の大きさに関係なく希望する大きさの草履を製作できるようにする。【解決手段】  基台２の前後位置に芯紐を掛ける複数の紐掛け突起５，７，８をそれぞれ設け、芯紐の列幅を所定間隔に規制する左右一対の溝９ａを備えた中間規制板９を基台２の前後方向へ移行可能に設ける。基台２の両側位置には前後方向へ伸びる条溝３をそれぞれ形成し、同条溝３に中間規制板９の両下端部を挿入して前後方向へ移行できるようにする。【選択図】図１
0003138930.tif 000002
【実用新案登録請求の範囲】
【請求項１】
芯紐に編紐を手編みする際、芯紐を前後方向へ複列に掛け渡した状態に保持して編紐を両手で手編みできるようにする草履手編み台であって、基台の前後位置に芯紐を掛ける複数の紐掛け突起をそれぞれ設け、芯紐の列幅を所定間隔に規制する左右一対の溝又は突起を備えた中間規制板を基台の前後方向へ移行可能に設けたことを特徴とする、草履手編み台。
【請求項２】
基台の両側位置に前後方向へ伸びる条溝をそれぞれ形成し、同条溝に中間規制板の両下端部を挿入して前後方向へ移行できるようにした、請求項１記載の草履手編み台。
【請求項３】
中間規制板の両下端部に内側へ折曲したＬ字状の係止部をそれぞれ形成し、同係止部と中間規制板の下端で基台の側端部を上下から挟持するように係止して前後方向へ移行できるようにした、請求項１記載の草履手編み台。
【請求項４】
基台の後部上面位置に凹所を形成し、下面に凸所を有する後部ブロックを前記凹所に脱着可能に嵌合し、紐掛け突起を後部ブロックに取り付けた、請求項１〜３いずれか記載の草履手編み台。
【請求項５】
後部ブロックの前部位置に上下２枚のネットを所定間隔おいて取り付け、紐掛け突起を各ネットの穴に脱着自在に連通した、請求項４記載の草履手編み台。
【請求項６】
中間規制板の左右一対の溝又は突起を異なる間隔をおいて複数組形成した、請求項１〜５いずれか記載の草履手編み台。
【請求項７】
中間規制板の左右一対の溝又は突起の部分を中間規制板本体から分離可能にして交換できるようにした、請求項１〜６いずれか記載の草履手編み台。
【考案の詳細な説明】
【技術分野】
【０００１】
本考案は、草履を手編みする際に使用する作業台に関する。
【背景技術】
【０００２】
従来、草履を手編みする際は、左手と前方へ伸ばした両足との間に輪を作った芯紐を複列となるように掛け渡し、右手で編紐を複列の芯紐に上下交互に潜らせながら編み込んでいた。しかし、この方法は作業者の姿勢が前屈みになって腰痛を伴いやすく、芯紐を常に緊張させておくことから指にかかる負担も大きく、片手による編み込みは熟練者でないと希望する大きさや形に仕上げることが難しかった。近年では草履の手編みが個人の間でも楽しまれるようになり、初心者でも手軽に手編みできる道具が望まれていた。
【０００３】
これに対し、疲労や負担を軽減したり編み込みを容易にする作業台が考案された（特許文献１〜４参照）。特許文献１の技術は、芯紐を掛ける突起を備えた斜板を基台の一端に取り付け、両足を使わずに編み込みできるようにしている。特許文献２，３の技術は、基台の前後に芯紐を掛け渡す突起を形成し、両手を使って編紐を編み込みできるようにしている。特許文献４の技術は、芯紐の一端を掛ける草履台と芯紐の他端を掛けて作業者の腰のベルトと連結する補助具とで構成し、両手を使って編紐を編み込みできるようにしている。
【０００４】
しかしながら、前記いずれの技術も以下の問題があり、満足できるものではなかった。
１）掛け渡した芯紐は重みで中央部が垂れ下がり、編紐を通すたびに芯紐を持ち上げる必要があって作業がやりにくい。垂れ下がらないように緊張すると指に負担がかかる。
２）編み込みを中断すると全体が緩むから、一度編み込みを始めると作業を中断しにくい。中断すると再開時に編紐を締め直す必要があるが、全体の形が崩れてしまうことがある。
３）芯紐の列幅が作業者の手や作業台の大きさに依存し、希望する大きさの草履が作りにくい。
【特許文献１】実用新案登録第３１１４２０１号公報
【特許文献２】実用新案登録第３０８４１０５号公報
【特許文献３】実用新案登録第３１１９９７４号公報
【特許文献４】実用新案登録第３１１６４８６号公報
【考案の開示】
【考案が解決しようとする課題】
【０００５】
本考案が解決しようとする課題は、従来のこれらの問題点を解消し、芯紐の垂れ下がりを防止して編紐の編み込みを負担なく容易にし、しかも編み込みを中断しても緩むことなく再開でき、さらに作業者の手や作業台の大きさに関係なく希望する大きさの草履を製作できる草履手編み台を提供することにある。
【課題を解決するための手段】
【０００６】
かかる課題を解決した本考案の構成は、
１）  芯紐に編紐を手編みする際、芯紐を前後方向へ複列に掛け渡した状態に保持して編紐を両手で手編みできるようにする草履手編み台であって、基台の前後位置に芯紐を掛ける複数の紐掛け突起をそれぞれ設け、芯紐の列幅を所定間隔に規制する左右一対の溝又は突起を備えた中間規制板を基台の前後方向へ移行可能に設けたことを特徴とする、草履手編み台
２）  基台の両側位置に前後方向へ伸びる条溝をそれぞれ形成し、同条溝に中間規制板の両下端部を挿入して前後方向へ移行できるようにした、前記１）記載の草履手編み台
３）  中間規制板の両下端部に内側へ折曲したＬ字状の係止部をそれぞれ形成し、同係止部と中間規制板の下端で基台の側端部を上下から挟持するように係止して前後方向へ移行できるようにした、前記１）記載の草履手編み台
４）  基台の後部上面位置に凹所を形成し、下面に凸所を有する後部ブロックを前記凹所に脱着可能に嵌合し、紐掛け突起を後部ブロックに取り付けた、前記１）〜３）いずれか記載の草履手編み台
５）  後部ブロックの前部位置に上下２枚のネットを所定間隔おいて取り付け、紐掛け突起を各ネットの穴に脱着自在に連通した、前記４）記載の草履手編み台
６）  中間規制板の左右一対の溝又は突起を異なる間隔をおいて複数組形成した、前記１）〜５）いずれか記載の草履手編み台
７）  中間規制板の左右一対の溝又は突起の部分を中間規制板本体から分離可能にして交換できるようにした、前記１）〜６）いずれか記載の草履手編み台
にある。
【考案の効果】
【０００７】
本考案によれば、以下の効果を奏する。
１）芯紐を中間規制板の溝又は突起に掛けて所定高さに支持できるから、芯紐が重みで下方へ垂れ下がることがなく編み込みが容易となり、指で緊張する必要もないから負担を軽減できる。
２）中間規制板で編紐の編み込みの途中状態を維持できるから、編み込みを中断しても編紐が緩むことがなく、再開時に締め直す手間を要しない。
３）中間規制板の左右一対の溝又は突起を異なる間隔をおいて複数組形成した構成では、芯紐を求める草履の寸法に合った位置に掛けることで、作業者の手や作業台の大きさとは関係なく希望する大きさの草履を自在に製作できる。
【考案を実施するための最良の形態】
【０００８】
本考案では、基台の紐掛け突起を設ける位置に２枚のネットを所定間隔に取り付けると、各ネットの穴に紐掛け突起を連通することで、芯紐の列幅や緊張の具合を微調整できる。中間規制板の溝又は突起の部分を中間規制板から分離可能にすると、他の間隔で形成した溝又は突起と交換でき、製作できる草履の寸法の種類が広がる。基台の前側端部を他の箇所に固定するための紐掛部材や吸盤等を設けると、引っ張り時の基台のズレを防止できる。また、これに代えて基台の裏面に滑り止めを設けてもよい。編紐は布・タオル・藁などが用いられる。以下、本考案の実施例を図面に基づいて具体的に説明する。
【実施例１】
【０００９】
図１は実施例の草履手編み台の斜視図、図２は実施例の後部ブロックの説明図、図３は実施例の中間規制板の説明図、図４は実施例の紐掛部材の説明図、図５，６は実施例の草履手編み台の使用状態を示す説明図である。図中、１は草履手編み台、２は基台、２ａは凹所、３は条溝、４は前部ブロック，５は紐掛け突起、６は後部ブロック，６ａは凸所、７，８は紐掛け突起、９は中間規制板、９ａは溝、９ｂは脚、１０は紐掛部材、Ａは芯紐、Ａａは結び目、Ｂは編紐、Ｃは固定紐である。
【００１０】
本実施例の草履手編み台１は、図１に示すように基台２が長さ４０ｃｍ、幅２２ｃｍ、高さ３ｃｍの長方形状で、その両側上面に幅１ｃｍ、深さ１ｃｍで内側へ折曲する断面Ｌ字状の条溝３を長手方向に沿って形成している。基台２の一端には高さ３ｃｍの前部ブロック４を固着し、前部ブロック４の上面に高さ４ｃｍの４本の紐掛け突起５を４ｃｍ、３ｃｍ、４ｃｍの間隔で取り付けている。
【００１１】
基台２の他端には凹所２ａを形成し、下面に凸所６ａを有する高さ３ｃｍの略凸状の後部ブロック６を前記凹所２ａに脱着可能に嵌合し（図２参照）、後部ブロック６の上面の一端中央部に高さ４ｃｍの１本の紐掛け突起７を取り付け、他端の両側に２本の紐掛け突起８を８ｃｍの間隔をおいて取り付けている。
【００１２】
中間規制板９は幅２０ｃｍ、高さ６ｃｍ、厚さ１ｃｍの長方形状で、その上端の両側位置に幅１ｃｍ、深さ３ｃｍの溝９ａを左右対を成すように形成している。溝９ａ間の間隔は内側から５０ｍｍ、６８ｍｍ、９０ｍｍ、１０８ｍｍにそれぞれ形成し、４種類の寸法の草履を製作できるようにしている。中間規制板９の溝９ａの位置には製作寸法を表す目盛りを形成してもよい。
【００１３】
中間規制板９の下端の両側位置には、図３に示すように内側へ折曲するＬ字状の脚９ｂをそれぞれ形成し、後部ブロック６を一旦取り外して中間規制板９の脚９ｂを基台２の端部から条溝３に挿入し、後部ブロック６を元に位置に取り付け、後部ブロック６を取り外さないと中間規制板９が脱離できないようにしている。
【００１４】
基台２の前側端面には図４に示すように環状の紐掛部材１０を２箇所取り付け、固定紐Ｃで他の箇所と連結して引っ張り時に基台２がズレないようにしている。この紐掛部材１０に代えて吸盤付きのフック等を取り付け、テーブル等の平面の箇所に吸着させることもできる。
【００１５】
本実施例では、図５に示すように、芯紐Ａの両端を結んで輪を作り、その結び目Ａａを紐掛け突起７に掛け、結び目Ａａと対向する部分を結び目Ａａ側に引っ張って２本の紐掛け突起８に掛け、結び目Ａａと対向する部分を紐掛け突起５に３本づつ掛けて４列掛け渡す。この前後に掛け渡された４列の芯紐Ａを製作しようとする草履の幅寸法に合う位置の中間規制板９の溝９ａに掛けて支持する。この状態で、芯紐Ａは中間規制板９で支持されて浮いた状態となり、重みで垂れ下がることがない。
【００１６】
図６（ａ）に示すように、編紐Ｂの一端を２本の紐掛け突起８に掛けた芯紐Ａの中央部に結び付け、編紐Ｂの他端を４列の芯紐Ａの最右側から上下交互に潜らせながら編んでいく。このとき、芯紐Ａは基台２の前後に掛け渡しているから、従来では拘束されていた左手が空き、両手を使用して編み込みに集中できる。しかも、芯紐Ａは中間規制板９で支持されて浮いているから、編紐Ｂを潜らせる際にその都度芯紐Ａを持ち上げる必要がなく、楽に編み込みできる。
【００１７】
図６（ｂ）に示すように、横一列を編むごとに中間規制板９を手前へ移行させて編紐Ｂを引き寄せ、編紐Ｂ同士を隙間無く詰めていく。このとき、中間規制板９で編紐Ｂを引き寄せて編み込みの途中の状態を維持できるから、編み込みを中断しても編紐Ｂが緩むことがなく迅速に編み込みを再開でき、草履の形状を崩すこともない。このように、本実施例によれば芯紐Ａの垂れ下がりを防止して編紐Ｂの編み込みを負担なく容易にし、しかも編み込みを中断しても緩むことなく再開でき、さらに作業者の手や作業台の大きさに関係なく希望する寸法の草履を製作できる草履手編み台１となる。
【００１８】
図７に示すのは、後部ブロックの前部位置に上下２枚のネットを所定間隔おいて取り付け、各ネットの穴に紐掛け突起を脱着自在に連通した実施例の草履手編み台の他の例である。図７は実施例の他の例の後部ブロックの説明図である。図中、６ｂは溝、６ｃはネットである。
【００１９】
図７に示す実施例の他の例は、後部ブロック６を平面視がコ字状となるように形成し、その内側に溝６ｂを上下に所定間隔をおいて形成し、その溝６ｂにネット６ｃをそれぞれ差し込んでいる。この上下のネット６ｃの穴に紐掛け突起８を任意の位置に連通することで、芯紐Ａの列幅や緊張の具合を微調整できる。また、ネット６ｃは上下に備えているから、紐掛け突起８が傾くことなく垂直の状態を保持できる。その他、符号、構成、作用効果は実施例と同じである。
【００２０】
図８に示すのは、中間規制板の両下端部に内側へ折曲したＬ字状の係止部をそれぞれ形成し、同係止部と中間規制板の下端で基台の側端部を上下から挟持するように係止し、しかも中間規制板の左右一対の溝又は突起の部分を中間規制板本体から分離可能にした実施例の草履手編み台の他の例である。図８は実施例の他の例の中間規制板の説明図である。図中、２ｂは脚部材、９ｃは係止部、９ｄは差替え部材、９ｅはネジ穴、９ｆは差込み溝、９ｇはネジ穴、９ｈは固定ネジである。
【００２１】
図８に示す実施例の他の例は、基台２を薄く形成して脚部材２ａで浮設している。中間規制板９は両下端部に内側へ折曲したＬ字状の係止部９ｃを形成し、溝９ａの部分を両側部分から分離して差替え部材９ｄとし、これを固定ネジ９ｈで脱着自在に固定している。この係止部９ｃと差替え部材９ｄの下端で基台２の側端部を上下から挟持するように係止している。従って、条溝３が省略でき、しかも様々な間隔の溝９ａを形成した差替え部材９ｄを複数種類用意して交換することで、製作できる草履の寸法の種類を広げることができる。その他、符号、構成、作用効果は実施例と同じである。
【産業上の利用可能性】
【００２２】
本考案の技術は、草履を手編みする際に利用される。
【図面の簡単な説明】
【００２３】
【図１】実施例の草履手編み台の斜視図である。
【図２】実施例の後部ブロックの説明図である。
【図３】実施例の中間規制板の説明図である。
【図４】実施例の紐掛部材の説明図である。
【図５】実施例の草履手編み台の使用状態を示す説明図である。
【図６】実施例の草履手編み台の使用状態を示す説明図である。
【図７】実施例の他の例の後部ブロックの説明図である。
【図８】実施例の他の例の中間規制板の説明図である。
【符号の説明】
【００２４】
１  草履手編み台
２  基台
２ａ  凹所
２ｂ  脚部材
３  条溝
４  前部ブロック
５  紐掛け突起
６  後部ブロック
６ａ  凸所
６ｂ  溝
６ｃ  ネット
７，８  紐掛け突起
９  中間規制板
９ａ  溝
９ｂ  脚
９ｃ  係止部
９ｄ  差替え部材
９ｅ  ネジ穴
９ｆ  差込み溝
９ｇ  ネジ穴
９ｈ  固定ネジ
１０  紐掛部材
Ａ  芯紐
Ａａ  結び目
Ｂ  編紐
Ｃ  固定紐
【図１】
0003138930.tif 000003
【図２】
0003138930.tif 000004
【図３】
0003138930.tif 000005
【図４】
0003138930.tif 000006
【図５】
0003138930.tif 000007
【図６】
0003138930.tif 000008
【図７】
0003138930.tif 000009
【図８】
0003138930.tif 000010